【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
標準電波を受信して復調する受信手段と、前記受信手段を制御する制御信号を出力する制御手段と、前記受信手段及び前記制御手段に電源電圧を供給する電力供給手段とを備えた受信回路であって、
前記電力供給手段から入力する前記電源電圧の電圧値を検出する電圧検出手段を備え、
前記受信手段には、
受信した前記標準電波に係る受信信号を増幅する信号増幅部と、
増幅された前記受信信号を整流する整流部と、
整流された前記受信信号をろ波するフィルタ部と、
ろ波された前記受信信号と基準電圧とから二値化した二値化信号を出力する比較部と、
前記比較部にそれぞれ異なる前記基準電圧を出力可能に構成され、前記制御信号に基づいて、出力する前記基準電圧を切り替える基準電圧切替部とが設けられ、
前記電源電圧の電圧値と、前記基準電圧の電圧値とが関連付けられた設定情報を記憶する記憶手段を備え、
前記制御手段は、
前記電圧検出手段により検出された前記電源電圧の電圧値と、前記設定情報とに基づいて、前記基準電圧切替部により出力される前記基準電圧の電圧値を指定する制御信号を前記受信手段に出力することを特徴とする受信回路。
【請求項２】
請求項１に記載の受信回路において、
前記電力供給手段は、充放電可能な二次電源を備えて構成され、
前記二次電源を充電する発電手段を備えることを特徴とする受信回路。
【請求項３】
請求項１または請求項２に記載の受信回路において、
前記受信回路には、
前記制御信号をデコードしたデコード信号を前記基準電圧切替部に出力するデコード手段が設けられ、
前記基準電圧切替部は、前記デコード信号に応じて、前記比較部に出力する前記基準電圧を切り替えることを特徴とする受信回路。
【請求項４】
請求項１から請求項３のいずれかに記載の受信回路と、当該受信回路によって復調された信号に基づいて内部時刻情報を修正する時刻修正回路とを備えることを特徴とする電波修正時計。
【請求項５】
標準電波を受信して復調する受信手段と、前記受信手段を制御する制御信号を出力する制御手段と、前記受信手段及び前記制御手段に電力を供給する電力供給手段とを備えた受信回路による前記標準電波の復調時の当該受信回路の制御方法であって、
前記電力供給手段から入力する電源電圧の電圧値を検出する電圧検出手段を備え、
前記受信手段には、
受信した前記標準電波に係る受信信号を増幅する信号増幅部と、
増幅された前記受信信号を整流する整流部と、
整流された前記受信信号をろ波するフィルタ部と、
ろ波された前記受信信号と基準電圧とから二値化した二値化信号を出力する比較部と、
前記比較部にそれぞれ異なる前記基準電圧を出力可能に構成され、前記制御信号に基づいて、出力する前記基準電圧を切り替える基準電圧切替部とが設けられ、
前記電源電圧の電圧値と、前記基準電圧の電圧値とが関連付けられた設定情報を記憶する記憶手段を備え、
前記制御手段により、前記電圧検出手段により検出された前記電源電圧の電圧値と、前記設定情報とに応じた前記基準電圧を示す制御信号を出力する制御信号出力ステップと、
前記基準電圧切替部により、前記制御信号に応じて、前記比較部に出力する前記基準電圧を切り替える基準電圧切替ステップとを有することを特徴とする受信回路の制御方法。
【手続補正２】
【補正対象書類名】明細書
【補正対象項目名】０００８
【補正方法】変更
【補正の内容】
【０００８】
前記した目的を達成するために、本発明の受信回路は、標準電波を受信して復調する受信手段と、前記受信手段を制御する制御信号を出力する制御手段と、前記受信手段及び前記制御手段に電源電圧を供給する電力供給手段とを備えた受信回路であって、前記電力供給手段から入力する前記電源電圧の電圧値を検出する電圧検出手段を備え、前記受信手段には、受信した前記標準電波に係る受信信号を増幅する信号増幅部と、増幅された前記受信信号を整流する整流部と、整流された前記受信信号をろ波するフィルタ部と、ろ波された前記受信信号と基準電圧とから二値化した二値化信号を出力する比較部と、前記比較部にそれぞれ異なる前記基準電圧を出力可能に構成され、前記制御信号に基づいて、出力する前記基準電圧を切り替える基準電圧切替部とが設けられ、前記電源電圧の電圧値と、前記基準電圧の電圧値とが関連付けられた設定情報を記憶する記憶手段を備え、前記制御手段は、前記電圧検出手段により検出された前記電源電圧の電圧値と、前記設定情報とに基づいて、前記基準電圧切替部により出力される前記基準電圧の電圧値を指定する制御信号を前記受信手段に出力することを特徴とする。
【手続補正３】
【補正対象書類名】明細書
【補正対象項目名】０００９
【補正方法】変更
【補正の内容】
【０００９】
本発明によれば、電圧値検出手段により検出された電源電圧の電圧値に基づいて、制御手段が、当該電圧値に応じた基準電圧の電圧値を指定する制御信号を出力する。そして、受信手段の基準電圧切替部が、当該制御信号に基づいて、比較部に出力する基準電圧を切り替える。
これによれば、電力供給手段から供給される電源電圧が低下した場合でも、当該電源電圧の電圧値に応じた基準電圧が、基準電圧切替部から比較部に入力する。このため、電力供給手段から供給される電源電圧が高く、かつ、信号増幅部により受信信号が充分に増幅される場合だけでなく、当該電源電圧が低下し、かつ、受信信号の増幅の幅が小さくなった場合でも、比較部が、増幅された受信信号と当該受信信号に適した基準電圧とから、適切な二値化信号を出力することができる。従って、標準電波の復調を適切に行うことができる。
さらに、記憶手段が、電力供給手段が供給する電源電圧の電圧値と、基準電圧切替部が比較部に出力する基準電圧の電圧値とが関連付けられた設定情報を記憶している。これによれば、制御手段が、当該設定情報に基づいて電源電圧の電圧値に対して適切な基準電圧、すなわち、当該電源電圧により増幅された受信信号に適した基準電圧を選択することができる。そして、制御手段が、選択した基準電圧を指定する制御信号を出力することにより、基準電圧切替部が、当該基準電圧を比較部に出力することができる。従って、適切な基準電圧に誤りなく設定することができる。また、基準電圧選択の際に、制御手段が計算等の処理を行わなくて済むので、当該制御手段の負荷を抑えることができる。
さらに、受信回路が記憶手段を備えることにより、個々の受信回路に応じた基準電圧の設定及び切替を行うことができる。例えば、受信回路を製造する過程で、受信手段の基準電圧切替手段が出力可能な基準電圧をそれぞれ測定しておき、変動する電源電圧に適した基準電圧の電圧値を、予め記憶手段に記憶させておくことにより、受信回路の製造上のばらつきによって生じる基準電圧のばらつきの影響を抑えることができる。また、同様にして、信号増幅部による電源電圧に応じたゲインのばらつきの影響を抑えることができる。従って、受信回路の製造上のばらつきを抑制することができ、一層適切に標準電波を復調することができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
また、本発明に受信回路の制御方法は、標準電波を受信して復調する受信手段と、前記受信手段を制御する制御信号を出力する制御手段と、前記受信手段及び前記制御手段に電力を供給する電力供給手段とを備えた受信回路による前記標準電波の復調時の当該受信回路の制御方法であって、前記電力供給手段から入力する電源電圧の電圧値を検出する電圧検出手段を備え、前記受信手段には、受信した前記標準電波に係る受信信号を増幅する信号増幅部と、増幅された前記受信信号を整流する整流部と、整流された前記受信信号をろ波するフィルタ部と、ろ波された前記受信信号と基準電圧とから二値化した二値化信号を出力する比較部と、前記比較部にそれぞれ異なる前記基準電圧を出力可能に構成され、前記制御信号に基づいて、出力する前記基準電圧を切り替える基準電圧切替部とが設けられ、前記電源電圧の電圧値と、前記基準電圧の電圧値とが関連付けられた設定情報を記憶する記憶手段を備え、前記制御手段により、前記電圧検出手段により検出された前記電源電圧の電圧値と、前記設定情報とに応じた前記基準電圧を示す制御信号を出力する制御信号出力ステップと、前記基準電圧切替部により、前記制御信号に応じて、前記比較部に出力する前記基準電圧を切り替える基準電圧切替ステップとを有することを特徴とする。